(57)【要約】【課題】機器の設定条件を機器の利用者の健康状態に合わせてより適切に設定する。【解決手段】利用者が利用する機器を設定する機器設定装置であって、前記利用者以外の第三者の端末操作に応じて情報端末が取得した該利用者の健康状態に関する情報を、該情報端末を介して受信する受信手段と、前記受信した利用者の健康状態に関する情報に基づき、前記機器の設定に関する管理情報を補正する補正手段と、前記補正した管理情報に基づき、前記機器の設定情報を生成する生成手段と、を有する機器設定装置が提供される。【選択図】図４
2015099423.tif 000002
【特許請求の範囲】
【請求項１】
利用者が利用する機器を設定する機器設定装置であって、
前記利用者以外の第三者の端末操作に応じて情報端末が取得した該利用者の健康状態に関する情報を、該情報端末を介して受信する受信手段と、
前記受信した利用者の健康状態に関する情報に基づき、前記機器の設定に関する管理情報を補正する補正手段と、
前記補正した管理情報に基づき、前記機器の設定情報を生成する生成手段と、
を有する機器設定装置。
【請求項２】
前記管理情報は、健康状態を示す複数のパラメータを含み、
前記補正手段は、前記複数のパラメータのうちのいずれか一つ以上についての前記利用者の健康状態に関する情報に基づき、前記管理情報を補正する、
請求項１に記載の機器設定装置。
【請求項３】
前記複数のパラメータには、優先度が付与され、
前記補正手段は、前記優先度が高い順に選択される複数のパラメータのうちのいずれか一つ以上に基づき、前記管理情報を補正する、
請求項２に記載の機器設定装置。
【請求項４】
前記管理情報は、病気の種類毎に管理され、
前記利用者の健康状態に関する情報は、前記利用者の病状に関する情報を含み、
前記補正手段は、前記利用者の病状に関する情報から特定される病気の種類の管理情報を、前記利用者の健康状態に関する情報に基づき補正する、
請求項１〜３のいずれか一項に記載の機器設定装置。
【請求項５】
前記利用者の健康状態に関する情報は、前記利用者を介護する介護者又は前記利用者を保護する保護者の端末操作に応じて前記情報端末から取得されるか、前記情報端末と通信可能な該利用者が携帯する機器を介して該情報端末から取得される、
請求項１〜４のいずれか一項に記載の機器設定装置。
【請求項６】
利用者が利用する機器を設定する機器設定システムであって、
前記利用者以外の第三者の端末操作に応じて情報端末が取得した該利用者の健康状態に関する情報を、該情報端末を介して受信する受信手段と、
前記受信した利用者の健康状態に関する情報に基づき、前記機器の設定に関する管理情報を補正する補正手段と、
前記補正した管理情報に基づき、前記機器の設定情報を生成する生成手段と、
前記生成した設定情報に基づき、前記機器の設定条件を設定する設定手段と、
を有する機器設定システム。
【請求項７】
利用者が利用する機器を設定する処理をコンピュータが実行する機器設定方法であって、
前記利用者以外の第三者の端末操作に応じて情報端末が取得した該利用者の健康状態に関する情報を、該情報端末を介して受信し、
前記受信した利用者の健康状態に関する情報に基づき、前記機器の設定に関する管理情報を補正し、
前記補正した管理情報に基づき、前記機器の設定情報を生成する、
処理をコンピュータが実行する機器設定方法。
【発明の詳細な説明】
【技術分野】
【０００１】
本発明は、機器設定装置、機器設定システム及び機器設定方法に関する。
【背景技術】
【０００２】
お年寄りなどは、自らの体感温度が鈍り、自分で最適なエアコンの設定条件を見出すことが難しい場合やエアコンを起動させない場合が想定され、健康に障害が生じることがある。一方、エアコンの設定には自動モードが設けられていることがあり、エアコンの利用者は、自動モードを利用することによって容易にエアコンの設定ができるようになっている。
【０００３】
しかしながら、自動モードは、個人の体感温度や体調を考慮したものではないため最適でない場合がある。また、エアコンのリモコンによる設定が複雑になってきており、特に介護が必要な利用者の場合、最適な設定を行うことが困難な場合がある。
【０００４】
そこで、例えば、特許文献１には、エアコンを利用する入室者（利用者）に対して、利用者毎に個別に用意されたＩＤコードとそのＩＤコードに関連付けられた空調条件と個人条件データとに基づいてエアコンの設定が行われる技術が開示されている。
【０００５】
また、例えば、特許文献２には、利用者の属性情報や環境情報に加えて、あるエアコンの設定に対する快適度について利用者に申告をさせ、これらの情報に基づき、エアコンの設定条件を利用者毎に適正化する技術が開示されている。
【発明の概要】
【発明が解決しようとする課題】
【０００６】
しかし、特許文献１では、利用者によって行われるリモコンでの設定に基づいて空調条件が設定される。このため、自分で最適なエアコンの設定条件を見出すことが難しい利用者にとって最適なエアコンの設定条件を得るシステムにはなっていない。また、利用者毎のＩＤを検知するために、部屋の床一面にＩＤを検知するセンサーを配置する必要があり、システムの設置条件やコスト面で課題がある。
【０００７】
また、特許文献２では、利用者は、エアコンの設定に対する快適度の申告をするために端末上での煩雑な操作が必要であり、特に介護が必要な利用者にはこのような操作は難しい。
【０００８】
そこで、一側面では、機器の設定条件を機器の利用者の健康状態に合わせてより適切に設定することを目的とする。
【課題を解決するための手段】
【０００９】
一つの案では、
利用者が利用する機器を設定する機器設定装置であって、
前記利用者以外の第三者の端末操作に応じて情報端末が取得した該利用者の健康状態に関する情報を、該情報端末を介して受信する受信手段と、
前記受信した利用者の健康状態に関する情報に基づき、前記機器の設定に関する管理情報を補正する補正手段と、
前記補正した管理情報に基づき、前記機器の設定情報を生成する生成手段と、
を有する機器設定装置が提供される。
【発明の効果】
【００１０】
一態様によれば、機器の設定条件を機器の利用者の健康状態に合わせてより適切に設定することができる。
【図面の簡単な説明】
【００１１】
【図１】一実施形態に係る機器設定システムの構成例を示す図。
【図２】一実施形態に係る各装置の機能構成例を示す図。
【図３】一実施形態に係る認証処理の一例を示したフローチャート。
【図４】一実施形態に係るエアコンの条件設定処理の一例を示したフローチャート。
【図５】一実施形態に係る管理情報の一例を示した図。
【図６】一実施形態に係る利用者の健康状態に関する情報の一例を示した図。
【図７】一実施形態に係るエアコンの条件設定の一例を示した図。
【図８】一実施形態に係る各装置のハードウェア構成例を示した図。
【発明を実施するための形態】
【００１２】
以下、本発明の実施形態について添付の図面を参照しながら説明する。なお、本明細書及び図面において、実質的に同一の機能構成を有する構成要素については、同一の符号を付することにより重複した説明を省く。
【００１３】
（機器設定システムの概要）
本実施形態に係る機器設定システム１では、介護施設や訪問介護もしくはエアコンの設定を自ら行うことが困難な利用者への支援として、利用者の健康状態に関する情報に基づき利用者毎に最適なエアコンの設定条件を提供する。以下では、本実施形態に係る機器設定システム１について、図面を参照しながら詳細に説明する。
【００１４】
［機器設定システムの全体構成］
まず、本実施形態に係る機器設定システム１の構成について、図１を参照しながら説明する。図１は、一実施形態に係る機器設定システム１の構成例を示す。本実施形態に係る機器設定システム１では、情報端末（以下、「スマホ４０」を例に挙げて説明する。）からサーバー５０に利用者の健康状態に関する情報が送られる。サーバー５０は、利用者の健康状態に関する情報に合わせて、エアコン１０を稼働する際のより適切な設定条件を利用者毎に提供する。
【００１５】
本実施形態に係る機器設定システム１の一例としては、図１に示されるように、スマホ４０とサーバー５０とが、ネットワーク６０を介して接続された構成が挙げられる。また、機器設定システム１では、スマホ４０は、利用者タグ付マスコット２０（以下、単に「タグ付マスコット２０」という。）及びマスコット用ホルダ３０を介してエアコン１０と通信可能である。
【００１６】
エアコン１０は、機器設定システム１による管理対象の機器の一例であり、利用者により利用される機器である。エアコン１０に搭載されたＮＦＣ１０ａにはエアコン１０のＩＤとしてＩＤ１が割り当てられている。管理対象となる機器は、稼働時の温度や風量等の設定機能があり、利用者により利用され、通信機能を有する電子機器であればエアコン１０に限られず、どのような機器であってもよい。例えば、無線チップを内蔵している扇風機、空気清浄機、暖房機、冷房機、家電品等が挙げられる。特に、本実施形態において管理対象となる機器は、建物や室内で取り扱われるエアコン１０などの温調機器、空調設備等が好適である。
【００１７】
エアコン１０の設置場所２は、介護施設や自宅やその他の公共施設であってもよい。エアコン１０を利用する利用者は、介護施設や訪問介護を利用する者であって、介護者による介護が必要なお年寄りや身体障害者、保護者による保護が必要な子供等が挙げられる。エアコン１０の設定を自ら行うことが困難な者が利用者に含まれてもよい。
【００１８】
利用者の健康状態に関する情報は、利用者以外の第三者が収集した、利用者の顔色等の利用者の健康に関する情報である。第三者は、利用者を介護する介護者又は利用者を保護する保護者であってもよい。第三者は、スマホ４０を操作することによって利用者の健康状態に関する情報を収集する。例えば、第三者は、スマホ４０を操作して、利用者の体温、血圧、顔色、汗の有無、体感温度、室温等、利用者とのかかわりの中で取得したり、気づいたりした利用者の健康状態に関する情報を入力する。利用者の健康状態に関する情報には、利用者とのコミュニケーションに含まれる情報の中で第三者により判断される利用者に関する情報が含まれる。
【００１９】
利用者の健康状態に関する情報には、投薬、持病等、利用者の病状に関する情報が含まれることが好ましい。また、利用者の健康状態に関する情報には、利用者の性別や年齢等の利用者の属性情報が含まれてもよい。
【００２０】
第三者は、スマホ４０に取り付けられた撮像機能を用いて、利用者の顔色等を撮像することで利用者の健康状態に関する情報を静止画像又は動画像として入力してもよい。また、第三者は、スマホ４０の録音機能を用いて、利用者の音声を録音することで利用者の健康状態に関する情報を音声として入力してもよい。スマホ４０は、利用者の健康状態に関する情報を、定期的に送信してもよいし、不定期に送信してもよい。
【００２１】
スマホ４０は、ＮＦＣ４０ａを内蔵しており、情報端末の一例である。スマホ４０に搭載されたＮＦＣ４０ａにはスマホ４０のＩＤとしてＩＤ４が割り当てられている。情報端末は、携帯型の端末装置であれば、スマホ４０に限られず、例えば、携帯電話、携帯型情報端末（ＰＤＡ）、タブレット型機器、携帯型音楽機器、ゲーム機器等であってもよい。情報端末としては、製造時から無線チップが回路内に組み込まれている機器に限られず、無線チップを組み込んだメモリカードやドングル等を後から挿入した機器も含む。これにより、情報端末は、近距離通信が可能となる。なお、情報端末は、図示しない中継局を介してネットワーク６０に接続されてもよい。中継局は、携帯電話基地局、Ｗｉ−Ｆｉステーション等の中継機能を有する。
【００２２】
サーバー５０は、利用者が利用する機器を設定する機器設定装置の一例である。具体的には、サーバー５０は、取得した利用者の健康状態に関する情報に基づき、エアコン１０等の機器を設定するための管理情報を利用者の健康状態に応じて補正し、補正した管理情報に基づき機器の設定情報を生成する。そして、生成した設定情報に基づき、機器の設定条件が設定される。よって、エアコン１０等の対象機器を設定するための管理情報を利用者の健康状態に応じて補正することにより、エアコン１０等の対象機器の設定内容を変更することができる。
【００２３】
機器の設定に関する管理情報は、利用者に対する医療関係者、例えば、医師等の管理者により管理されている情報であってもよい。また、管理情報は、病気の種類毎に管理されていることが好ましい。管理情報は、医師による診療行為の結果得られる情報を蓄積した健康管理情報であってもよい。例えば、管理情報は、病気の種類に従って定められたエアコンの最適温度等の管理者が設定した条件を含んでもよい。その他、管理情報は、管理者が設定した条件（病気の種類に従って定められたエアコンの最適温度）、及びエアコンの機種毎の条件（例えば、機種毎に定められたお薦めの設定条件や、機種毎にかかる電気代や、外気温との温度差等）を含んでもよい。
【００２４】
サーバー５０は、管理情報ＤＢ７０及び介護者収集情報ＤＢ７１のそれぞれに記憶されている各データを利用して機器の設定条件を適正化する。管理情報ＤＢ７０には、管理情報（図５）が記憶される。介護者収集情報ＤＢ７１には、第三者によって収集される利用者の健康状態に関する情報（図６）が記憶される。
【００２５】
利用者は、例えば、図１に示されるように、ＮＦＣ２０ａのタグ付マスコット２０を所持している。ここでは、ＮＦＣ２０ａの記憶部にはマスコット２０のＩＤとしてＩＤ２が記憶されている。このようにして利用者には、利用者毎にＩＤが紐付けられる。よって、第三者は、複数の利用者を介護する場合であっても、利用者毎のＩＤとともに利用者の健康状態に関する情報をサーバー５０に送信すればよい。
【００２６】
タグ付マスコット２０を所持する利用者は、タグ付マスコット２０をマスコット用ホルダ３０にセットする。マスコット用ホルダ３０に搭載されたＮＦＣ３０ａにはマスコット用ホルダ３０のＩＤとしてＩＤ３が割り当てられている。マスコット用ホルダ３０は、利用者の部屋などに設置される。マスコット用ホルダ３０は、タグ付マスコット２０の認証処理を行う。また、マスコット用ホルダ３０が赤外線通信によりＩＤ３をエアコン１０に送信すると、エアコン１０は、マスコット用ホルダ３０の認証処理を行う。
【００２７】
マスコット用ホルダ３０は、通信を行うために必要な電源を確保するための電池を搭載するか、コンセントから電力を供給してもよい。また、マスコット用ホルダ３０は、タグ付マスコット２０がセットされたときにタグ付マスコット２０のＩＤ２を読み込んだことを表示するための表示部やランプ、音を出力するスピーカ等の機能を有してもよい。
【００２８】
後述される認証処理後、エアコン１０とスマホ４０との通信が可能となる。前述したように、利用者の健康状態に関する情報は、スマホ４０からサーバー５０に送信され、介護者収集情報ＤＢ７１に蓄積される。サーバー５０は、利用者の健康状態に関する情報に基づき、管理情報を補正し、補正した管理情報に基づきエアコン１０の設定条件に関する情報（設定情報）を生成する。生成された設定情報は、サーバー５０からネットワーク６０を経由して介護者のスマホ４０に送信される。
【００２９】
スマホ４０に送信された設定情報は、介護者がスマホ４０を利用者の所持するタグ付マスコット２０のＮＦＣ２０ａのタグに近接させることで、タグ付マスコット２０のＮＦＣ２０ａの記憶部に記憶される。さらに、タグ付マスコット２０をマスコット用ホルダ３０にセットすることで、マスコット用ホルダ３０は、タグ付マスコット２０のＮＦＣ２０ａの記憶部に記憶されている設定情報を読み込み、読み込んだ設定情報を赤外線通信によりエアコン１０に送信する。エアコン１０は、受信した設定情報によりエアコン１０の設定条件を更新する。これによれば、エアコン１０の設定条件をエアコン１０の利用者の健康状態に合わせてより適切に設定することができる。これにより、エアコン１０の利用者は、タグ付マスコット２０をマスコット用ホルダ３０に置くだけでその利用者の個人的な体調や事情を考慮したエアコン１０の自動設定により、エアコン１０が快適に過ごすことができる。
【００３０】
［各装置の機能構成］
次に、一実施形態に係る機器設定システムの各装置の機能構成について、図２を参照しながら説明する。図２は、一実施形態に係る各装置の機能構成例を示す。図２（ａ）は、エアコン１０の機能構成の一例である。図２（ｂ）は、マスコット用ホルダ３０の機能構成の一例である。図２（ｃ）は、スマホ４０の機能構成の一例である。図２（ｄ）は、サーバー５０の機能構成の一例である。
【００３１】
エアコン１０は、表示部１１と赤外線通信部１２と通信部１３と制御部１４と記憶部１５と電源部１６とを有している。表示部１１は、ディスプレイ等を有し、例えば操作メニュー等を表示する。赤外線通信部１２は、赤外線を用いた通信機能を有し、マスコット用ホルダ３０と赤外線による無線通信を可能とする。通信部１３は、例えば、ブルートゥース（商標）やワイファイ（Ｗｉ−Ｆｉ）による無線通信を可能とする。制御部１４は、エアコン１０の全体を制御する。例えば、制御部１４は、利用者の健康状態に応じた設定情報に基づきエアコン１０の設定条件を更新する。記憶部１５は、例えば設定情報を保持している。電源部１６は、電源がオンされるとエアコン１０に電力を供給し、エアコン１０を動作させる。
【００３２】
マスコット用ホルダ３０は、表示部３１と赤外線通信部３２と近距離無線通信部３３と制御部３４と記憶部３５とを有している。表示部３１は、ディスプレイ等を有し、例えば操作メニュー等を表示する。赤外線通信部３２は、赤外線を用いた通信機能を有し、エアコン１０と赤外線による無線通信を可能とする。近距離無線通信部３３は、ＮＦＣ等の無線チップによる近接無線通信機能を有している。近距離無線通信部３３は、タグ付マスコット２０との近接無線通信を可能とする。制御部３４は、マスコット用ホルダ３０とタグ付マスコット２０との認証処理を行う。記憶部３５は、各種データを記憶する。
【００３３】
スマホ４０は、表示部４１と通信部４２と近距離無線通信部４３と記憶部４４と制御部４５と画像／音声取得部４６とを有している。表示部４１は、ディスプレイ等を有し、例えば利用者に関する情報を入力するための入力画面等を表示する。通信部４２は、ネットワーク６０とのインタフェースを有し、ネットワーク６０を介してサーバー５０との接続を可能とする。通信部４２は、例えば、ブルートゥースやワイファイ（Ｗｉ−Ｆｉ）による無線通信機能を有する。
【００３４】
近距離無線通信部４３は、ＮＦＣ（Near field communication）等の無線チップによる近接無線通信機能を有している。近距離無線通信部４３は、タグ付マスコット２０との近接無線通信を可能とする。記憶部４４は、各種データを記憶する。制御部４５は、スマホ４０の全体を制御する。画像／音声取得部４６は、スマホ４０のカメラ等の撮像機能及び音声の録音機能を用いて画像を撮像したり、音声を取り込んだりしてもよい。これにより、スマホ４０に利用者の顔色を示す画像や利用者の音声による利用者の健康状態に関する情報を取得できる。
【００３５】
サーバー５０は、表示部５１と通信部５２と記憶部５３と制御部５４と補正部５５と生成部５６と設定部５７とを有している。表示部５１は、ディスプレイ等を有し、各種データを表示する。サーバー５０は、表示部５１を有しなくてもよい。
【００３６】
記憶部５３は、管理情報ＤＢ７０及び介護者収集情報ＤＢ７１を記憶してもよい。ただし、管理情報ＤＢ７０及び介護者収集情報ＤＢ７１は、必ずしもサーバー５０上に記憶されなくてもよい。例えば、これらの情報は、ネットワーク６０を介して接続可能なクラウドコンピュータの記憶領域に記憶されてもよい。制御部５４は、サーバー５０の全体を制御する。
【００３７】
通信部５２は、ネットワーク６０とのインタフェースを有し、ネットワーク６０を介してスマホ４０との接続を可能とする。通信部５２は、第三者のスマホ４０から送信された利用者の健康状態に関する情報を受信する受信手段の一例である。補正部５５は、受信した利用者の健康状態に関する情報に基づき、エアコン１０の設定に関する管理情報を補正する。
【００３８】
生成部５６は、補正した管理情報に基づき、エアコン１０の設定情報を生成する。設定部５７は、生成した設定情報に基づき、エアコン１０の設定条件を設定する。
【００３９】
［認証処理（登録処理）］
次に、一実施形態に係る認証処理（登録処理）について図３を参照して説明する。図３は、一実施形態に係る認証処理（登録処理）の一例を示したフローチャートである。図３の左側はエアコン１０が行う処理を示し、中央はマスコット用ホルダ３０が行う処理を示し、右側はタグ付マスコット２０が行う処理を示す。
（マスコット用ホルダによるタグ付マスコットの認証（登録）処理）
最初に、マスコット用ホルダ３０によるタグ付マスコット２０の認証（登録）処理について説明する。まず、マスコット用ホルダ３０を起動させる（ステップＳ１０）。次に、タグ付マスコット２０を所持する利用者が、タグ付マスコット２０をマスコット用ホルダ３０に置く（ステップＳ１２）。
【００４０】
マスコット用ホルダ３０の近距離無線通信部３３（ＮＦＣ３０ａ）は、タグ付マスコット２０のＮＦＣ２０ａとの近距離無線通信により、タグ付マスコット２０のＮＦＣ２０ａの記憶部に記憶されているＩＤ（ここでは、ＩＤ２）を読み込む（ステップＳ１４）。
【００４１】
マスコット用ホルダ３０の制御部３４は、読み込んだタグ付マスコット２０のＩＤ２が既に登録され、認証済みであるかを判定する（ステップＳ１６）。
【００４２】
この時点では、タグ付マスコット２はマスコット用ホルダ３０によって認証されていない。よって、ＩＤ２は登録されていないため、制御部３４は、マスコット用ホルダ３０のＮＦＣ３０ａにＩＤ２を登録するようにＮＦＣ３０ａのデータを書き換える（ステップＳ１８）。これにより、制御部３４は、マスコット用ホルダ３０のＩＤ３とタグ付マスコット２０のＩＤ２とを紐付けることで、マスコット用ホルダ３０のＩＤ３へタグ付マスコット２０のＩＤ２を認証させる（ステップＳ２０）。これにより、マスコット用ホルダ３０のＩＤ３とタグ付マスコット２０のＩＤ２との紐付けが完了する。
（エアコンによるマスコット用ホルダの認証（登録）処理）
次に、エアコン１０によるマスコット用ホルダ３０の認証（登録）処理について説明する。エアコン１０は、開封され、設置されている。リモコンに電池を入れる等によりリモコン等を使用してエアコン１０が起動される（ステップＳ２２）。この状態で、タグ付マスコット２０を所持する利用者が、タグ付マスコット２０をマスコット用ホルダ３０に置く（ステップＳ１２）。
【００４３】
マスコット用ホルダ３０の近距離無線通信部３３（ＮＦＣ３０ａ）は、タグ付マスコット２０のＮＦＣ２０ａとの近距離無線通信により、タグ付マスコット２０に付けたＮＦＣ２０ａの記憶部に記憶されているＩＤ２を読み込む（ステップＳ１４）。
【００４４】
マスコット用ホルダ３０の制御部３４は、読み込んだタグ付マスコット２０のＩＤ２が既に登録され、認証済みであるかを判定する（ステップＳ１６）。
【００４５】
この時点では、タグ付マスコット２はマスコット用ホルダ３０によって認証され、既にＮＦＣ３０ａに登録されている。よって、制御部３４は、マスコット用ホルダ３０のＮＦＣ３０ａ内のＩＤ２を検知する（ステップＳ２４）。ＩＤ２を検出すると、赤外線通信部３２は、赤外線通信によりマスコット用ホルダ３０のＩＤ３をエアコン１０に送信する（ステップＳ２６）。なお、赤外線通信に替えて、例えば、ブルートゥースやワイファイ（Ｗｉ−Ｆｉ）による無線通信を使用してもよい。
【００４６】
エアコン１０の通信部１３は、マスコット用ホルダ３０のＩＤ３を受信し、マスコット用ホルダ３０のＩＤ３が既に登録され、認証済みであるかを判定する（ステップＳ２８）。この時点では、マスコット用ホルダ３０はエアコン１０によって認証されていない。よって、エアコン１０の制御部１４は、エアコン１０のＮＦＣ１０ａにＩＤ３を登録するようにＮＦＣ１０ａのデータを書き換える（ステップＳ３０）。これにより、制御部１４は、エアコン１０のＩＤ１とマスコット用ホルダ３０のＩＤ３とを紐付けることで、エアコン１０のＩＤ１へマスコット用ホルダ３０のＩＤ３を認証させる（ステップＳ３２）。これにより、マスコット用ホルダ３０のＩＤ３とエアコン１０のＩＤ１との紐付けが完了する。
【００４７】
以上、マスコット用ホルダ３０によるタグ付マスコット２０の認証処理、及びエアコン１０によるマスコット用ホルダ３０の認証処理について説明した。なお、利用者は、タグ付マスコット２０をマスコット用ホルダ３０に置く替わりに近接させることにより、タグ付マスコット２０のＩＤ２とマスコット用ホルダ３０のＩＤ３との紐付けを行ってもよい。また、利用者は、マスコット用ホルダ３０をエアコン１０に近接させることにより、マスコット用ホルダ３０のＩＤ３とエアコン１０のＩＤ１との紐付けを行ってもよい。このとき、電源を供給することが可能であるエアコン１０がリーダライタとなる。
【００４８】
タグ付マスコット２０のＩＤ２やマスコット用ホルダ３０のＩＤ３は、エアコン１０が持つ同じＩＤに紐付けられなくてもよい。例えば、同じエアコン１０に二つのＩＤ、「ＩＤ１」と「ＩＤ１'」とが割り付けられ、「ＩＤ１」と「ＩＤ１'」とが紐付けられている場合、次のような紐付けが行われてもよい。つまり、エアコン１０の一つであるＩＤ１とタグ付マスコット２０のＩＤ２とが紐付けられ、エアコン１０のもう一つのＩＤであるＩＤ１'とマスコット用ホルダ３０のＩＤ３とが紐付けられる。「ＩＤ１」と「ＩＤ１'」とは既に紐付けられているので、ＩＤ２とＩＤ３とが紐付けられることになり、ＩＤ３が付与されたマスコット用ホルダ３０は、ＩＤ２が付与されたタグ付マスコット２０を認識できる。ＩＤ１'は他のリモコンなどと共有で使われるＩＤであってもよい。
【００４９】
［エアコンの条件設定処理］
次に、一実施形態に係るエアコンの条件設定処理について、図４を参照して説明する。図４は、一実施形態に係るエアコンの条件設定処理の一例を示したフローチャートである。図４の左端はエアコン１０が行う処理を示し、その右はマスコット用ホルダ３０が行う処理を示し、中央は利用者タグ付マスコット２０が行う処理を示し、その右は介護者のスマホ４０が行う処理を示し、右端はサーバー５０が行う処理を示す。
【００５０】
まず、介護者のスマホ４０にアプリをダウンロード後、スマホ４０は、エアコン１０のアプリを起動する（ステップＳ５０）。スマホ４０の制御部４５は、記憶部４４に利用者１の健康状態に関する情報が保存されているかを判定する（ステップＳ５２）。利用者１の健康状態に関する情報が保存されていれば、ステップＳ５６に進む。利用者１の健康状態に関する情報が保存されていなければ、利用者１に関する名前や性別等の属性情報を入力する（ステップＳ５４：初期値設定）。次に、制御部４５は、体温、血圧等の利用者の健康状態に関する情報を取得する（ステップＳ５６）。
【００５１】
利用者の健康状態に関する情報は、利用者の世話をする第三者（ここでは、介護者）により以下の手段で入手される。
（１）体調に関するデータ
介護者は、個別のセンサー（体温計、血圧、基礎代謝など）で情報を入手し、スマホ４０にその情報を入力する。もしくは、介護者は、スマホ４０上で入手可能なデータについてはスマホ４０のアプリ上で直接データを取得する。また、介護者は、スマホ４０のカメラを用いて利用者の顔色や湿疹等の状態を撮像し、撮像した画像を利用者の健康状態に関する情報とすることができる。
（２）室温、湿度など環境に関する情報
タグ付マスコット２０又はマスコット用ホルダ３０が環境に関する情報を取得し、スマホ４０との近距離無線通信によりスマホ４０に環境に関する情報を送信してもよい。もしくは、スマホ４０は、スマホ４０のアプリで環境に関する情報を取得してもよい。タグ付マスコット２０は、情報端末と通信可能な該利用者が携帯する機器の一例である。
（３）介護者による入力
介護者が、利用者の要望（暑い、寒いなど）や、介護者から見た利用者の様子（例えば体調、顔色、機嫌等）をスマホ４０に入力する。
【００５２】
利用者の健康状態に関する情報は、介護者等の第三者がスマホ４０のアプリ上で入力することができるようになっている。例えば、介護者が、スマホ４０のアプリ上でエアコン１０の利用者の個人の管理情報（年齢、性別）、体調管理に関する情報（体温、基礎代謝、血圧etc）、薬の管理情報を行っている場合がある。その場合、利用者の健康状態に関する情報は、アプリに蓄積されたこれらの情報を含んでもよい。また、利用者の健康状態に関する情報は、年齢、性別等の利用者の属性情報を含んでもよい。
【００５３】
図４にて、次に、スマホ４０の制御部４５は、取得した利用者の健康状態に関する情報をエアコン１０のＩＤ１に紐付け（ステップＳ５８）、ＩＤ１に紐付けた利用者の健康状態に関する情報をサーバー５０へ送信する（ステップＳ６０）。サーバー５０の通信部５２は、利用者の健康状態に関する情報を受信する（ステップＳ６２）。
【００５４】
サーバー５０の補正部５５は、管理者により管理される、機器の設定に関する管理情報を取得し（ステップＳ６４）、受信した利用者の健康状態に関する情報に基づき、取得した管理情報を補正する。生成部５６は、補正された管理情報に基づき、エアコン１０の設定情報を生成する（ステップＳ６６）。例えば、生成された設定情報は、温度、湿度、風量、稼動時間などのエアコン１０の設定条件である。サーバー５０の通信部５２は、生成されたエアコン１０の設定情報をＩＤ４が割り当てられたスマホ４０に送信する（ステップＳ６８）。
【００５５】
スマホ４０の通信部４２は、エアコン１０の設定情報を受信する（ステップＳ７０）。介護者等は、スマホ４０をタグ付マスコット２０にかざす（ステップＳ７２）。これにより、スマホ４０のＮＦＣ４０ａは、タグ付マスコット２０のＮＦＣ２０ａと通信を行い、エアコン１０の設定情報を送信する（ステップＳ７４）。
【００５６】
タグ付マスコット２０のＮＦＣ２０ａは、エアコン１０の設定情報を受信する（ステップＳ７６）。次に、タグ付マスコット２０のＮＦＣ２０ａがマスコット用ホルダ３０に置かれると（ステップＳ７８）、マスコット用ホルダ３０は、タグ付マスコット２０を検知し（ステップＳ８０）、マスコット用ホルダ３０を起動する（ステップＳ８２）。マスコット用ホルダ３０のＮＦＣ３０ａは、受信したエアコン１０の設定情報を読み込み、ＮＦＣ３０ａの記憶部に記載された情報を読み込んだ設定情報に書き換える（ステップＳ８４）。
【００５７】
マスコット用ホルダ３０の赤外線通信部３２は、赤外線通信により設定情報をエアコン１０に送信する（ステップＳ８６）。エアコン１０の赤外線通信部１２は、赤外線通信により設定情報を受信する（ステップＳ８８）。エアコン１０が起動され（ステップＳ９０）、エアコン１０の制御部１は、設定情報に基づき、エアコン１０の設定条件を設定する（ステップＳ９２）。これにより、マスコット用ホルダ３０が送信したエアコンの設定条件にしたがってエアコン１０が稼動する。
【００５８】
以上に説明した、本実施形態に係るエアコンの条件設定処理によれば、エアコン１０の設定条件をエアコン１０の利用者の健康状態に応じて適正化することができる。これにより、介護が必要なお年寄りや保護が必要な子供であって、エアコン１０の適切な設定条件の操作が困難な利用者であっても、利用者の健康状態に応じて適正化された設定条件のエアコン１０を利用できる。
（サーバーによる設定条件の適正化の具体例）
本実施形態に係る機器設定システム１では、利用者の健康状態に関する情報に基づき管理情報が補正される。その結果得られるエアコン１０の設定条件の適正値について、図５〜図７を参照しながら具体的に説明する。図５は、一実施形態に係る管理情報の一例を示す。図６は、一実施形態に係る利用者の健康状態に関する情報の一例を示す。図７は、一実施形態に係るエアコンの条件設定の一例を示す。
【００５９】
図５に示した管理情報の一例では、各病名に対して、病状によるエアコンの設定温度２００と健康状態を示すパラメータ２０１とが管理情報ＤＢ７０に記憶されている。例えば、病名が「心臓疾患」の場合、エアコンの設定温度２００の下限値が「２０℃」、上限値が「２８℃」である。また、病名が「心臓疾患」の場合のパラメータ２０１には、「体感温度」「顔色」「病名」の３つが設定されている。
【００６０】
図６に示した利用者の健康状態に関する情報の一例では、例えばＩＤ３００が「１２３」の利用者に関して、持病３０１が「心臓疾患」、年齢３０２が「８２」、投薬３０３が「薬Ａ」、体温３０４が「３６．０」、顔色３０５が「よい」、体感温度３０６が「暑い」、室温３０７が「２８（℃）」の情報が介護者収集情報ＤＢ７１に記憶されている。
【００６１】
ここでは、管理情報を補正する条件として、以下の条件（１）及び条件（２）が設定されているとする。
条件（１）：
顔色が「よい」のとき、現在の室温の±２℃で設定温度を補正可能である。
【００６２】
顔色が「悪い」のとき、現在の室温の＋２℃で補正可能である。
条件（２）：
体感温度が「暑い」のとき、−２℃でより高い温度で設定温度を補正可能である。
【００６３】
体感温度が「寒い」のとき、＋３℃でより高い温度で設定温度を補正可能である。
（ＩＤ「１２３」の利用者の機器設定条件の適正化の例）
以下では、本実施形態に係る機器設定方法により、ＩＤ「１２３」の利用者の健康状態に合わせてエアコン１０の設定条件をより適切に設定する具体例を説明する。
【００６４】
サーバー５０の補正部５５は、図７の（ａ）に示したように設定温度の補正を行う。つまり、ＩＤ３００が「１２３」の利用者は、図６の持病３０１に示した「心臓疾患」を持っている。よって、図５に示した「心臓疾患」の場合の設定温度を決める上でのパラメータ２０１「体感温度」、「顔色」、「病名」が用いられる。
【００６５】
まず、補正部５５は、設定温度を決める上でのパラメータ２０１に基づき、項目４００に示した「体感温度」、「顔色」、「病名」の順で温度の下限値４０１と上限値４０２とを算出する。
【００６６】
図７の（ａ）の「体感温度」の項目４００のでは、補正部５５は、図６に示したＩＤ３００が「１２３」の利用者の室温３０７が「２８℃」に対して体感温度３０６が「暑い」である。このため、条件（２）に従い、補正部５５は、現在の室温「２８℃」に対して−２℃でより高い温度で設定温度を補正可能であると判断する。この結果、補正部５５は、「体感温度」の項目４００の温度の下限値４０１を「２６℃」と設定する。
【００６７】
次に、「顔色」の項目４００では、補正部５５は、図６に示したＩＤ３００が「１２３」の利用者の室温３０７が「２８℃」に対して顔色３０５が「よい」である。このため、条件（１）に従い、補正部５５は、現在の室温「２８℃」に対して現在の室温の±２℃で設定温度を補正可能であると判断する。この結果、補正部５５は、「顔色」の項目４００の温度の下限値４０１を「２６℃」、上限値４０２を「３０℃」と設定する。
【００６８】
次に、「病名」の項目４００では、補正部５５は、図６に示したＩＤ３００が「１２３」の利用者の持病３０１が「心臓疾患」である。よって、補正部５５は、図５の病状による設定温度２００に従い、「心臓疾患」の項目４００の温度の下限値４０１を「２０℃」、上限値４０２を「２８℃」と補正する。
【００６９】
この結果、生成部５６は、管理情報、つまり、図５の心臓疾患の場合の病状による設定温度２００の下限値が「２０℃」、上限値が「２８℃」であるのに対して、補正後の設定温度の下限値を「２６℃」、上限値を「２８℃」とする。これにより、エアコン１０は、２６℃〜２８℃の範囲のいずれかの温度に設定される。
（ＩＤ「４５６」の利用者の機器設定条件の適正化の例）
次に、本実施形態に係る機器設定方法により、ＩＤ「４５６」の利用者の健康状態に合わせてエアコン１０の設定条件をより適切に設定する具体例を説明する。
【００７０】
サーバー５０の補正部５５は、図７の（ｂ）に示したように設定温度の補正を行う。つまり、ＩＤ３００が「４５６」の利用者は、図６の持病３０１に示した「血栓症」を持っている。よって、図５に示した「血栓症」の場合の設定温度を決める上でのパラメータ２０１「顔色」、「体感温度」、「病名」が用いられる。
【００７１】
まず、補正部５５は、設定温度を決める上でのパラメータ２０１に基づき、項目４００に示した「顔色」、「体感温度」、「病名」の順で温度の下限値４０１と上限値４０２とを算出する。
【００７２】
次に、「顔色」の項目４００では、補正部５５は、図６に示したＩＤ３００が「４５６」の利用者の室温３０７が「２０℃」に対して顔色３０５が「悪い」である。このため、条件（１）に従い、現在の室温「２０℃」に対して現在の室温の＋２℃で補正可能であると判断する。この結果、補正部５５は、「顔色」の項目４００の温度の下限値４０１を「２２℃」と設定する。
【００７３】
「体感温度」の項目４００では、補正部５５は、図６に示したＩＤ３００が「４５６」の利用者の室温３０７が「２０℃」に対して体感温度３０６が「寒い」である。このため、条件（２）に従い、現在の室温「２０℃」に対して＋３℃でより高い温度で設定温度を補正可能である。と判断する。この結果、補正部５５は、「体感温度」の項目４００の温度の下限値４０１を「２３℃」と設定する。
【００７４】
「病名」の項目４００では、補正部５５は、図６に示したＩＤ３００が「４５６」の利用者の持病３０１が「血栓症」である。よって、生成部５６は、図５の病状による設定温度２００に従い、「血栓症」の項目４００の温度の下限値４０１を「１８℃」、上限値４０２を「２８℃」とする。
【００７５】
この結果、生成部５６は、管理情報、つまり、図５の血栓症の場合の病状による設定温度２００の下限値が「１８℃」、上限値が「２８℃」であるのに対して、補正後の設定温度の下限値が「２３℃」、上限値が「２８℃」とする。これにより、エアコン１０は、２３℃〜２８℃の範囲のいずれかの温度に設定される。
（ＩＤ「７８９」の利用者の機器設定条件の適正化の例）
次に、本実施形態に係る機器設定方法により、ＩＤ「７８９」の利用者の健康状態に合わせてエアコン１０の設定条件をより適切に設定する具体例を説明する。
【００７６】
サーバー５０の補正部５５は、図７の（ｃ）に示したように設定温度の補正を行う。つまり、ＩＤ３００が「７８９」の利用者は、図６の持病３０１に示した「脳卒中」を持っている。よって、図５に示した「脳卒中」の場合の設定温度を決める上でのパラメータ２０１「病名」、「体感温度」、「顔色」が用いられる。
【００７７】
まず、補正部５５は、設定温度を決める上でのパラメータ２０１に基づき、項目４００に示した「病名」、「体感温度」、「顔色」の順で温度の下限値４０１と上限値４０２とを算出する。
【００７８】
「病名」の項目４００では、補正部５５は、図６に示したＩＤ３００が「７８９」の利用者の持病３０１が「脳卒中」である。よって、補正部５５は、図５の病状による設定温度２００に従い、「脳卒中」の項目４００の温度の下限値４０１を「１７℃」、上限値４０２を「２６℃」と設定する。
【００７９】
「体感温度」の項目４００では、図６に示したＩＤ３００が「７８９」の体感温度３０６が「ちょうどよい」であるため、補正部５５は、補正は不要であると判断する。
【００８０】
次に、「顔色」の項目４００では、補正部５５は、図６に示したＩＤ３００が「７８９」の利用者の室温３０７が「２４℃」に対して顔色３０５が「よい」である。このため、条件（１）に従い、現在の室温「２４℃」に対して現在の室温の±２℃で設定温度を補正可能であると判断する。この結果、補正部５５は、「顔色」の項目４００の温度の下限値４０１を「２２℃」、上限値４０２を「２６℃」と設定する。
【００８１】
この結果、補正部５５は、管理情報、つまり、図５の脳卒中の場合の設定温度の下限値が「１７℃」、上限値が「２６℃」であるのに対して、補正後の設定温度の下限値が「２２℃」、上限値が「２６℃」に補正される。これにより、エアコン１０は、２２℃〜２６℃のいずれかの温度に設定される。
【００８２】
以上、利用者が利用する機器の設定条件の適正化の例について説明した。上記例では、図５に示されるパラメータ２０１のすべてに対応した利用者の健康状態に関する情報に基づき、管理情報が補正された。しかしながら、複数のパラメータのうちのいずれか一つ以上に対応した利用者の健康状態に関する情報に基づき、管理情報を補正してもよい。パラメータ２０１に示される優先度に基づき、優先度が高い順に選択される複数のパラメータのうちのいずれか一つ以上に対応した利用者の健康状態に関する情報に基づき、管理情報を補正してもよい。
【００８３】
以上に説明したように、本実施形態に係る機器設定システムによれば、エアコン１０の設定条件をエアコン１０の利用者の健康状態に合わせてより適切に設定することができる。また、本実施形態に係る機器設定システムによれば、電池を必要としないシステムを、コストを抑えて構築することができる。
【００８４】
（ハードウェア構成例）
最後に、本実施形態に係る各装置のハードウェア構成例について、図８を参照して説明する。図８は、本実施形態に係る各装置（スマホ４０、サーバー５０）のハードウェア構成例を示す図である。以下では、本実施形態に係る装置としてサーバー５０を例に挙げて説明する。
【００８５】
サーバー５０は、入力装置１０１、表示装置１０２、外部Ｉ／Ｆ１０３、ＲＡＭ(Random Access Memory)１０４、ＲＯＭ(Read Only Memory)１０５、ＣＰＵ(Central Processing Unit)１０６、通信Ｉ／Ｆ１０７、及びＨＤＤ(Hard Disk Drive)１０８などを備え、それぞれがバスＢで相互に接続されている。
【００８６】
入力装置１０１は、キーボードやマウスなどを含み、サーバー５０に各操作を入力するのに用いられる。表示装置１０２は、ディスプレイなどを含み、保守情報等を表示する。
【００８７】
通信Ｉ／Ｆ１０７は、サーバー５０をネットワーク６０に接続するインタフェースである。これにより、サーバー５０は、通信Ｉ／Ｆ１０７を介して、他の機器（例えば、スマホ４０等）とデータ通信を行うことができる。
【００８８】
ＨＤＤ１０８は、プログラムやデータを格納している不揮発性の記憶装置である。格納されるプログラムやデータには、装置全体を制御する基本ソフトウェア及びアプリケーションソフトウェアがある。例えば、ＨＤＤ１０８には、各種のＤＢ情報やプログラム等が格納されている。
【００８９】
外部Ｉ／Ｆ１０３は、外部装置とのインタフェースである。外部装置には、記録媒体１０３ａなどがある。これにより、サーバー５０は、外部Ｉ／Ｆ１０３を介して記録媒体１０３ａの読み取り及び／又は書き込みを行うことができる。記録媒体１０３ａには、フロッピー（商標又は登録商標）ディスク、ＣＤ(Compact Disk)、及びＤＶＤ(Digital Versatile Disk)、ならびに、ＳＤメモリカード(SD Memory card)やＵＳＢメモリ(Universal Serial Bus memory)などがある。
【００９０】
ＲＯＭ１０５は、電源を切っても内部データを保持することができる不揮発性の半導体メモリ（記憶装置）である。ＲＯＭ１０５には、ネットワーク６０の設定等のプログラムやデータが格納されている。ＲＡＭ１０４は、プログラムやデータを一時保持する揮発性の半導体メモリ（記憶装置）である。ＣＰＵ１０６は、上記記憶装置（例えば「ＨＤＤ１０８」や「ＲＯＭ１０５」など）から、プログラムやデータをＲＡＭ１０４上に読み出し、処理を実行することで、装置全体の制御や搭載機能を実現する演算装置である。
【００９１】
上記ハードウェア構成により、本実施形態に係るサーバー５０は、エアコン１０の機器の設定の制御を行うことができる。例えば、ＣＰＵ１０６が、ＲＯＭ１０５やＨＤＤ１０８内に格納されたデータ及びプログラムを用いて認証処理、エアコン１０の条件設定処理を実行する。この結果、本実施形態では、エアコン１０の機器の設定条件をエアコン１０の利用者の健康状態に合わせてより適切に設定することができる。
【００９２】
なお、管理情報ＤＢ７０及び介護者収集情報ＤＢ７１の情報は、ＲＡＭ１０４、ＨＤＤ１０８、又はネットワーク６０を介してサーバー５０に接続されるクラウド上のサーバー５０等に格納され得る。
【００９３】
以上、機器設定装置、機器設定システム及び機器設定方法を上記実施形態により説明したが、本発明は上記実施形態に限定されるものではなく、本発明の範囲内で種々の変形及び改良が可能である。
【００９４】
例えば、上記実施形態に係る機器設定システムの構成は一例であり、本発明の範囲を限定するものではなく、用途や目的に応じて様々なシステム構成例があることは言うまでもない。例えば、スマホ４０及びサーバー５０がネットワーク６０を介して接続されているシステム形態は、本実施形態に係る機器設定システムの一態様であり、これに限定されない。例えば、本実施形態に係る機器設定システムに含まれるサーバー５０の台数は、１台又は２台以上であり得る。複数台のサーバー５０が設置される場合、エアコンの条件設定処理は、複数台のサーバー５０で分散処理され得る。例えば、受信した利用者の健康状態に関する情報に基づき、管理情報を補正する補正手段と、前記補正した管理情報に基づき、前記機器の設定情報を生成する生成手段とを複数台のサーバー５０で分散処理してもよい。なお、用途や目的に応じて、複数台のうち１台のサーバー５０に選択的にそれら処理機能を集約させてもよい。
【００９５】
また、管理者が管理する機器の設定に関する管理情報は、上記実施形態で説明した健康管理に関する情報だけに限られず、例えば、機器を通常モードや省エネモードなどの複数のモードで稼働させる場合の各モードにおける機器の設定温度等の設定情報であってもよい。
【符号の説明】
【００９６】
１：機器設定システム
１０：エアコン
１０ａ：ＮＦＣ
２０：タグ付マスコット
２０ａ：ＮＦＣ
３０：マスコット用ホルダ３０
３０ａ：ＮＦＣ
４０：スマホ
４０ａ：ＮＦＣ
５０：サーバー
５５：補正部
５６：生成部
５７：設定部
６０：ネットワーク
７０：管理情報ＤＢ
７１：介護者収集情報ＤＢ
【先行技術文献】
【特許文献】
【００９７】
【特許文献１】特許４０４４４７２号公報
【特許文献２】特許４９６６３６３号公報
【図１】
2015099423.tif 000003
【図２】
2015099423.tif 000004
【図３】
2015099423.tif 000005
【図４】
2015099423.tif 000006
【図５】
2015099423.tif 000007
【図６】
2015099423.tif 000008
【図７】
2015099423.tif 000009
【図８】
2015099423.tif 000010